(57)【要約】【課題】正確にガス計量メータにおける数字を読み取ることができる、ガス流量情報の誤り報告のことを防止するためのシステム及びそのシステムによる操作方法を提供する。【解決手段】二個の小さい磁石同士４がガス計量メータの計量回転盤２１の内側に配置され、Ｎ極磁石４１が磁石のＮ極を代表して回転盤の外方へ向けさせるように配置され、Ｓ極磁石４２が磁石のＳ極を代表して外方へ向けさせるように配置され、磁気センサー３には、Ｎ極とＳ極との磁気センサー手段を含んでおり、Ｎ極磁石４１とＳ極磁石４２が受動的にガス計量メータの回転盤２１に従って回転する。【選択図】図２
2005267040.tif 000002
【特許請求の範囲】
【請求項１】
ガス流量メータの回転盤の適所に磁石セットを取り付けるステップ一と、
磁石セットが回転盤の回転に従って磁界の変化を生じるステップ二と、
回転盤の外方の所定の箇所に磁気センサを取り付けて、回転盤の磁界の変化を検出することで検知パルス信号を生成するステップ三と、
ノイズをろ過除去することによって正確な計数を取得するステップ四と、を少なくとも有することを特徴とする、
ガス流量情報の誤り報告を防止するシステムの操作方法。
【請求項２】
前記回転盤は、指示針手段で構成することを特徴とする、請求項１に記載のガス流量情報の誤り報告を防止するシステムの操作方法。
【請求項３】
前記磁石セットは、一個または複数個の磁石の組合せで構成することを特徴とする、請求項１に記載のガス流量情報の誤り報告を防止するシステムの操作方法。
【請求項４】
前記磁気センサーは、Ｎ極磁気センサー手段とＳ極磁気センサー手段とを備え、それぞれがＮとＳとの二種類の磁極に対応して検出パルス信号を生成することを特徴とする、請求項１に記載のガス流量情報の誤り報告を防止するシステムの操作方法。
【請求項５】
前記Ｎ極磁気センサー手段と前記Ｓ極磁気センサー手段とはそれぞれ独立的に取り付けられ、または回転盤の周縁部における適所に配置されるようにすることを特徴とする、
請求項４に記載のガス流量情報の誤り報告を防止するシステムの操作方法。
【請求項６】
前記磁気センサーには、その外方に磁気防止スリーブがつけられ、且つルビジウム・鉄・ホウ素磁気材料を使用することを特徴とする、請求項４に記載のガス流量情報の誤り報告を防止するシステムの操作方法。
【請求項７】
前記Ｎ極磁気センサー手段と前記Ｓ極磁気センサー手段とがゲート・トンネルを連結することによって間欠的断路を形成することにより電力の消費量を節約する機能を具備することを特徴とする、請求項４に記載のガス流量情報の誤り報告を防止するシステムの操作方法。
【請求項８】
前記ステップ四において、単一の磁気センサーからの検出パルスを隔てることによってその機能を取得することを特徴とする、請求項１に記載のガス流量情報の誤り報告を防止するシステムの操作方法。
【請求項９】
前記ステップ四において、回転盤の任意のタイミングの瞬間に停止するノイズをろ過除去することを特徴とする、請求項１に記載のガス流量情報の誤り報告を防止するシステムの操作方法。
【請求項１０】
ガス流量メータにおける回転盤に磁石セットを取り付け、それらの磁気セットが回転して磁気センサー手段の検出エリアを通る場合に、検出脈波信号を生成し、それを整えると、信号分析処理ユニットによってその信号を分析し、且つ異常比較をした後で、電話回線を介してガス会社の処理センターに報告をフィードバックするようにした、ガス流量情報の誤り報告を防止するシステムにおいて、
それぞれ異なるタイプの磁気センサー手段からなり、それらの検出エリア内に進入する磁極の磁界を検出でき、且つ検出パルス信号を生成できるようにした、磁気センサーと、
前記計量メータの回転盤における複数個の所定の箇所に取り付けられ、前記回転盤と一緒に回転するようにした、磁石セットと、
前記磁気センサー手段の送信してきた信号を受信するとともに、それらの信号を分析処理し、且つ異常比較を実行し、状況を判別してから、電話回線を介してガス会社の信号処理センターに報告をフィードバックするようにした、信号分析処理ユニットと、
火花や煙や一酸化炭素や地震程度や管路負圧または他の情報を検出及び調整できるとともに、それらの情報を信号分析処理ユニットに送信できるようにした特殊な検出システムと、を少なくとも有することを特徴とする、
ガス流量情報の誤り報告を防止するシステム。
【請求項１１】
前記信号分析処理ユニットが、処理フォローをプログラム化するとともに、そのプログラムをチップに書き込むことを特徴とする、請求項１０に記載のガス流量情報の誤り報告を防止するシステム。
【発明の詳細な説明】
【技術分野】
【０００１】
本発明は、ガス流量情報の誤り報告を防止するシステムの操作方法及びそのシステムに係わり、特に従来の磁気バネスイッチを改良し、単一チューブの磁気センサーによってガス流量メータにおける計量回転盤の磁気セットの磁界の変化を検出して電気信号に転換し、また、信号分析処理ユニットによって特殊な検出システムの送信する検出信号を整え、且つ分析処理及び異常比較を実行し、その状況を判定してから、電話回線を介してガス会社の処理センターへ報告をフィードバックするようにした、ガス流量情報の誤り報告を防止するシステムの操作方法及びそのシステムに関するものである。
【背景技術】
【０００２】
民間では、多くの家庭は、ガスを燃やすことによって食べ物を炊くようにしている。そして、お客様の使用上の便利性のニーズを応じるために、多くのガス会社が管路を大幅に配置し、それぞれのニーズを有する家庭に接続してゆき、且つガス計量メータによってガスの使用量を計算する。一般の機械式のガスメータが四十か五十年間の試用及び改良を経て、既にかなり成熟している製品となっている。しかしながら、それぞれのお客様の使用するガスの流量がそれぞれ異なっているため、大量の人力をかけて、毎月に逐一的にそれぞれのガス流量メータの使用量に係わる数値を記録する必要があり、それによって、使用量と納付すべき金額を計算する。しかしながら、人力により計量メータに表示された数を記録することが、大量の人力とコストかかることのほか、実務の操作の場合では、例えばサラリーマンのように出勤するために、家を留守にする機会が多いため、大変な不便さを有しており、且つ経済的効果に該当しなくなる。目前の電子化の時代では、ガス計量メータが自動的に数を記録する手段が提案されてきた。
【発明の開示】
【発明が解決しようとする課題】
【０００３】
従来のガス計量メータの数値を自動的に記録する手段は、磁気バネスイッチによって、ガス計量メータの回転盤の回転の機械的動作をデジタル信号に転換し、即ち、前記の計量回転盤に磁石を取り付け、その磁石が前記のバネスイッチに近接する際に、二枚のバネ同士のオーバーラップする部位に反対の磁気が生じされ、異なる極による吸引しあう原理を利用して接点を形成する動作を実行させ、この動作が極めた敏感的であるため、ガス計量メータに応用する場合では、少なくとも下記のような複数の劣る点を有する：
（１）外来の振動、例えば内装施工の場合やブリッジ現場の近辺にある場合では、物理的振動特性によって前記バネスイッチが影響されて作動することによって誤って報告をフィードバックする虞がある。
（２）突然にガスを閉鎖する場合に、ガス・バルブは戻り圧力が生じられ、回転盤が逆転してバネ同士が接合することよって誤って報告をフィードバックする虞がある。
（３）ガスを閉鎖する場合では、前記の磁石が丁度磁気バネスイッチの検出エリアに位置する場合、ガスの内外管路において、気圧差が生じて振動を生成するようになり、容易に誤差量が大きい連続的な誤り報告を生じやすくなるので、消費者の権利に損をもたらす場合がある。
（４）外部より磁気のついている物体が近接する場合に、前記のバネが面積が大きいため、容易に感応影響され、バネに誤り作動をさせるようにする虞がある。
（５）精密さを向上するために、ガスの計量メータの回転盤の周縁部におけるそれぞれ異なる位置に余分に磁気バネスイッチを取り付ける場合では、施工がしにくくなり、且つ一部の精密さしか向上できないので、好ましくないと認められている。
【０００４】
前記の説明から分かるように、前記の従来物には依然として多くの課題を有し、好ましい設計ではなく、改良されることが必要である。
【０００５】
本発明の発明者は、前記の従来の磁気バネスイッチの構造の生じるそれぞれの項の課題に鑑みて、研究改良を進め、その多年間当該事業に従事してきた豊富な経験に基づいて、設計を進めた結果、本発明のガス流量情報の誤り報告のことを防止するためのシステム及びそのシステムによる操作方法を創作するに至った。
【０００６】
本発明は、ホール（Ｈａｌｌ）原理による単一チューブの磁気センサーを使用し、それをガス計量メータの支持針の回転盤における磁石の磁極に取り付け対応し、電気パルス信号を生成させ、精確的にガス計量メータにおける数字を読み取ることができる、ガス流量情報の誤り報告を防止するシステムの操作方法及びそのシステムを提供することをその主要な解決しようとする課題とする。
また本発明は、外方包囲磁気防止スリーブを提供し、それとして例えばルビジウム・鉄・ホウ素磁気材料からなる物品を使用し、且つそれをガス計量メータの内側の磁気センサーの外方につけさせ、高圧電気と高磁気と人為の破壊や偽造信号を受信することなどを防止できるほかに、振動や戻り圧などの要素による誤り報告なども防止できる機能性を有するシステムの操作方法及びそのシステムを提供することをその次の解決しようとする課題とする。
また、本発明は、前記磁気センサーのフィードバックする信号を分析処理と異常比較とを行うことができる信号分析処理ユニットを提供し、当該ユニットによって、同時に特殊な検出システムのフィードバックする検出信号を受信でき、処理分析後に、判別を実行し、またはノイズをろ過除去し、または電話回線を介してガス会社の信号処理センターへ報告をフィードバックするようにしたシステムの操作方法及びそのシステムを提供することをその他の解決しようとする課題とする。
【課題を解決するための手段】
【０００７】
前記の課題を解決するためには、本発明によるガス流量情報の誤り報告を防止するシステムの操作方法及びそのシステムは、ガスの計量メータの最小単位の回転盤に二個の小さい磁石同士を取り付け、両者を対向しあうように配置し、その中の一つの磁石のＮ極を回転盤の外方へ向けさせるように配置し、且つ他の磁石のＳ極を回転盤の外方へむけさせるように配置し、且つその計量回転盤の周縁部の適所に単一チューブの磁気センサーを取り付け、当該磁気センサーには、Ｎ極磁気センサー手段とＳ極磁気センサー手段とを備え、その中、前記Ｎ極磁気センサー手段が単に磁石のＮ極の磁界を検出し、且つ前記Ｓ極磁気センサー手段が単に磁石のＳ極の磁界を検出し、磁石が計量回転盤について回転する場合に、磁気センサー手段の検出エリアに入ると、それを検出でき、且つそれを電気信号として信号分析処理ユニットに送信し、且つ前記特殊な検出システムがその送信してきた検出信号を前記信号分析処理ユニットによって信号処理と異常比較を行い、且つ同時に前記特殊な検出システムのフィードバックする検出信号を受信し、処理分析と異常比較を行ってから、状況を判別後に、電話回線を介してガス会社の信号処理センターへ報告をフィードバックするようにしたことを特徴とする、ガス流量情報の誤り報告を防止するシステムの操作方法及びそのシステムを提供する。
【０００８】
すなわち、本発明は、ガス流量メータの回転盤の適所に磁石セットを取り付けるステップ一と、磁石セットが回転盤の回転に従って磁界の変化を生じるステップ二と、回転盤の外方の所定の箇所に磁気センサを取り付けて、回転盤の磁界の変化を検出することで検知パルス信号を生成するステップ三と、ノイズをろ過除去することによって正確な計数を取得するステップ四と、を少なくとも有することを特徴とする、ガス流量情報の誤り報告のことを防止するシステムの操作方法を提供する。
前記回転盤は、指示針手段で構成することを特徴とする。
前記磁石セットは、一個または複数個の磁石の組合せで構成することを特徴とする。
前記磁気センサーは、Ｎ極磁気センサー手段とＳ極磁気センサー手段とを備え、それぞれがＮとＳとの二種類の磁極に対応して検出パルス信号を生成することを特徴とする。
前記Ｎ極磁気センサー手段と前記Ｓ極磁気センサー手段とはそれぞれ独立的に取り付けられ、または回転盤の周縁部における適所に配置されるようにすることを特徴とする。
前記磁気センサーには、その外方に磁気防止スリーブがつけられ、且つルビジウム・鉄・ホウ素磁気材料を使用することを特徴とする。
前記Ｎ極磁気センサー手段と前記Ｓ極磁気センサー手段とがゲート・トンネルを連結することによって間欠的断路を形成することにより電力の消費量を節約する機能を具備することを特徴とする。
前記ステップ四において、単一の磁気センサーからの検出パルスを隔てることによってその機能を取得することを特徴とする。
前記ステップ四において、回転盤の任意のタイミングの瞬間に停止するノイズをろ過除去することを特徴とする。
ガス流量メータにおける回転盤に磁石セットを取り付け、それらの磁気セットが回転して磁気センサー手段の検出エリアを通る場合に、検出脈波信号を生成し、それを整えると、信号分析処理ユニットによってその信号を分析し、且つ異常比較をした後で、電話回線を介してガス会社の処理センターに報告をフィードバックするようにした、ガス流量情報の誤り報告を防止するシステムにおいて、それぞれ異なるタイプの磁気センサー手段からなり、それらの検出エリア内に進入する磁極の磁界を検出でき、且つ検出パルス信号を生成できるようにした、磁気センサーと、前記計量メータの回転盤における複数個の所定の箇所に取り付けられ、前記回転盤と一緒に回転するようにした、磁石セットと、前記磁気センサー手段の送信してきた信号を受信するとともに、それらの信号を分析処理し、且つ異常比較を実行し、状況を判別してから、電話回線を介してガス会社の信号処理センターに報告をフィードバックするようにした、信号分析処理ユニットと、火花や煙や一酸化炭素や地震程度や管路負圧または他の情報を検出及び調整できるとともに、それらの情報を信号分析処理ユニットに送信できるようにした特殊な検出システムと、を少なくとも有することを特徴とする、ガス流量情報の誤り報告を防止するシステムを提供する。
前記信号分析処理ユニットが、処理フォローをプログラム化するとともに、そのプログラムをチップに書き込むことを特徴とする。
【発明の効果】
【０００９】
（１）本発明は、ホール（Ｈａｌｌ）原理による単一チューブの磁気センサーを使用し、それをガス計量メータの支持針の回転盤における磁石の磁極に取り付け対応し、電気パルス信号を生成させ、精確的にガス計量メータにおける数字を読み取ることができる、ガス流量情報の誤り報告を防止するシステム及びそのシステムによる操作方法を提供することができる。
（２）本発明は、外方包囲磁気防止スリーブを提供し、それとして例えばルビジウム・鉄・ホウ素磁気材料からなる物品を使用し、且つそれをガス計量メータの内側の磁気センサーの外方につけさせ、高圧電気と高磁気と人為の破壊や偽造信号を受信することなどを防止できるほかに、振動や戻り圧などの要素による誤り報告なども防止できる機能性を有するシステムの操作方法及びそのシステムを提供することができる。
（３）本発明は、前記磁気センサーのフィードバックする信号を分析処理と異常比較とを行うことができる信号分析処理ユニットを提供し、当該ユニットによって、同時に特殊な検出システムのフィードバックする検出信号を受信でき、処理分析後に、判別を実行し、またはノイズをろ過除去し、または電話回線を介してガス会社の信号処理センターへ報告をフィードバックし得るようにしたシステムの操作方法及びそのシステムを提供することができる。
【発明を実施するための最良の形態】
【００１０】
本発明の構造と特徴をさらに詳しく解明するために、以下に添付図面を参照しながら、本発明の優れる実施の形態を詳細的で具体的に説明するが、それらの説明による具体的な構成は単に本発明の実施可能な実施例に過ぎなく、本発明の範囲を狭義的に定義するものではない。
【００１１】
図１は、本発明のガス計量メータの外見を示す説明図であり、図中、符号１は、ガス計量メータのケーシングであり、２は、ガス計量メータの表示表面であり、２１は、ガス計量メータの最小単位の計量回転盤を示すものであり、３はホール原理による磁気センサーであり、その外形がチューブ形に形成され、そのため、単に従来のガス計量メータ１に対し穴を開けると、取り付けを実施可能になる。
【００１２】
図２に示すのは、本発明の配置状況を示す説明図であり、符号４は、磁石セットを示し、それらは二個の小さい磁石同士からなり、対向しあうように前記ガス計量メータの最小単位の計量回転盤２１の内側に配置され、本実施の形態の場合では、その対向しあう角度が１８０度であり、その磁極の外方へ向ける方式には、Ｎ極とＳ極との二種類に分けられ、Ｎ極磁石４１が磁石のＮ極を代表して回転盤の外方へ向けさせるように配置し、且つＳ極磁石４２が磁石のＳ極を代表して外方へ向けさせるように配置し、磁気センサー３には、Ｎ極とＳ極との磁気センサー手段を含んでおり、その中では、Ｎ極磁気センサー手段３１が単に磁石のＮ極の磁界を検出し、Ｓ極の磁界に対し反応はしないようにし、また、Ｓ極磁気センサー手段３２が単に磁石のＳ極の磁界を検出し、Ｎ極の磁界に対し反応はしないようにし、Ｎ極磁石４１とＳ極磁石４２が受動的にガス計量メータの回転盤２１に従って回転してＮ極磁気センサー手段３１とＳ極磁気センサー手段３２の検出エリアを通る場合に、Ｎ極磁気センサー手段３１がその検出エリアを通るＮ極磁石４１に対し、感応をし、且つその感応による磁気通過量の変化を長波信号に転換し、計数比較器５０に出力し、同じように、Ｓ極磁気センサー手段３２がその検出エリアを通るＳ極磁石４２に対し、感応をし、且つその感応による磁気通過量の変化を長波信号に転換し、計数比較器５０に出力し、それらのＮ極磁石４１とＳ極磁石４２とが対向しあうように計量回転盤２１における１８０度の対向し合う箇所にそれぞれ配置されるため、計量回転盤２１が所定の速度にて回転する場合に、Ｎ極磁気センサー手段３１の検出する出力波形が、Ｓ極磁気センサー手段３２の検出する出力波形と、所定の波形位相差を生成し、こうすると、信号分析処理ユニット５の計数比較器５０内で整えて比較を行えるようになり、その信号分析処理ユニット５が、情報を受信し、分析処理と異常比較を行う機能を有し、Ｎ極磁気センサー手段３１とＳ極磁気センサー手段３２からフィードバックする信号を受信でき、他に、同時に特殊な検出システムのそれぞれの箇所に分かれて配置されるセンサーの送信してきた検出信号５２を受信でき、処理分析をしてから判別を実行し、または、誤り報告のことを発見して計数器５１のことを無視して計数を中止し、または異常があると判別後に、信号を、ＰＳＴＮ回転を介して出力し（ステップ６４）、且つＬＥＤ表示器に表示をし（ステップ６５）、且つ電磁気弁より信号を出力し（ステップ６２）、電磁気弁の開閉を制御し、ガスの供給を中止し、または爆発防止弁より出力をし（ステップ６１）、爆発防止弁の開閉を制御し、または電話回線を介して報告をフィードバックし（ステップ６３）、ガス会社の処理センターへ通知を出す。
【００１３】
図３に示すのは、本発明の計数構造を示す分解図であり、図３Ａに示す矢印は計量回転盤の旋回方向を示し、符号３１，３２がそれぞれＮ極磁気センサー手段とＳ極磁気センサー手段を代表し、且つＮ，ＳがそれぞれＮ極磁石のこととＳ極磁石のことを代表し、また、そのＮ極磁石の側には戻し止めの係止片９を有し、当該戻し止めの係止片９が前記計量回転盤が他の方向へ回転するのを制御できる。また、位置ａ〜ｆは、計量回転盤２１が位置ａよりはじめ、逆時計方向へ一周を回す過程を示し、また、図３Ｂの波形に示すように、その最上方はＮ極磁気センサー手段３１がＮ極磁界を感応して出力する波形を示すものであり、その下方は、Ｓ極磁気センサー手段３２がＳ極磁界を感応して出力する波形を示すものであり、その下方は、両者が計数比較器（Ｃｏｕｎｔｅｒ）５０でオーバーラップ加算してから生成する波形を示すものであり、その計数比較器５０が前記二つのタイプの磁気センサー手段の検出信号をオーバーラップ加算でき、リセットとセットの所要する信号の組合せになるように設定でき、それにパルスのオン／オフ機能を付与でき、そのため、正確に計量回転盤２１の回転する周数を計算できる。位置ａにいたる場合に、Ｓ極磁石４２とＳ極磁気センサー手段３２とが最も近接し、且つＳ極磁気センサー手段３２に感応を生成させ、しかしながら、Ｎ極磁気センサー手段３１がＮ極磁石４１との距離があまりにも遠いため、Ｎ極磁気センサー手段３１が感応を生じない。計量回転盤２１が位置ｃに回すと、Ｎ極磁石４１と、Ｎ極磁気センサー手段３１との距離が最も近くなり、Ｎ極磁気センサー手段３１が検出信号を生成する。しかしながら、Ｓ極磁石４２がＳ極磁気センサー手段３２の検出エリアに位置しないので、そのＳ極磁気センサー手段３２が感応を生じない。そのため、計数比較器５０の中で、オーバーラップ加算して比較後に、Ｓｅｔとなるように設定でき、長波パルスを生成し始めるようになる。同じように、ｅ位置に回す場合、Ｓ極磁石４２がＳ極磁気センサー手段３２の検出エリアに進入し、Ｓ極磁気センサー手段３２が検出をはじめ、検出信号を出力し、この際、計数比較器５０の中では、リセットとなるように設定でき、長波パルスを終了させる。こうすると、計量回転盤２１が一回に回すと、前記計数比較器５０の中では、長波パルスを生成し、その計量回転盤が一回の回す量に当たるガス消費量が既に知る場合では、ガスのトータル使用量を計算できるようになる。
【００１４】
この種の磁気センサー３によってガス計量メータにおける回転盤２１の磁石セット４１の磁界を検出することによってガス消費量を計算する方法は、計数比較器５０が完璧な長波パルスを生じる場合こそ、計数に納入するものである。即ち、リセットとセットとを有する場合こそが、計量回転盤２１が一回り旋回すると認められる。もし、その計量回転盤２１が外来の振動が付加され、例えば内装工事やブリッジ現場の近くにある場合に、または、突然にガスを閉じる場合に生成する戻し圧力による引っ張り力の影響などによって計量回転盤２１に回させる場合、または、計量回転盤が停止する際に、そのＮ極磁石が丁度Ｎ極磁気センサー手段３１の検出エリアに止める場合、ノイズが生成される。しかしながら、複数個のリセットと一個のセットとの組合せ、または複数個のセットと一個のリセットの組合せの場合では、すべてが計数比較器５０の中で一つの完璧な長波パルスしか生じなく、計量回転盤２１が一回り旋回するものと認め、図３Ｃに示すようになる。このようにする場合では、誤り報告を防止できるとともに、正確にガスの消費量を報告できる。
【００１５】
本実施の形態においては、対称関係で１８０度の差を有する磁石セットをガス計量メータの最小単位の計量回転盤２１の内側に取り付けるため、最大の許容位相角の１８０度のことを有するようになり、一般の戻し圧力による引っ張り力がすべて１８０度を超えないため、このような処置を取るのが好ましくなる。また、それぞれ異なるニーズに応じてそれぞれ異なる配置方式を採用できる。
【００１６】
また、セットを検出して作動させる場合に、自己断路させ、且つリセット検出を行わせてもよく、リセットを検出した場合に、自己断路させながら、Ｓｅｔ検出を行わせてもよい。このようにした場合では、単に給電量の二分の一の程度の組立部材しか要しなくなり、半分の電気使用量しか要しないようにならせることができる。
【００１７】
図４は本発明の誤り情報をフィードバックすることを防止するためのシステムにおける計数電気回路を示す説明図であり、図５は本発明の誤り情報をフィードバックすることを防止するための判別フローを示す説明図である。磁石セットが旋回してＮ極磁気センサー手段３１またはＳ極磁気センサー手段３２の検出エリアを通る場合に、検出パルス信号を生成する。ノイズではない場合に、信号分析処理ユニット５が整えて計数を実行できる。且つその特徴値を抽出するように設定でき、それを分析する。例えば、長時間の微細流量を分析取得できる。その同時に、特殊検出システムの屋内のそれぞれの箇所に取り付けられるセンサーによって、それぞれ火気や煙や一酸化炭素や地震の震度や管路の負圧などの標的を設定するとともに、検出を実行し、且つ信号を信号分析処理ユニット５に送信し、その信号分析処理ユニット５に予め設定される可能な状況に該当する場合に、信号分析処理ユニット５がその状況を判別し、電話回線を介してガス会社の処理センターへ報告をフィードバックする（ステップ６３）。
【図面の簡単な説明】
【００１８】
【図１】本発明の外見様子を示す説明図である。
【図２】本発明の方法と装置の取り付け位置とシステムの配置のことを示す説明図である。
【図３Ａ】本発明の計数構造を示す分解図である。
【図３Ｂ】本発明の計数波形の説明図である。
【図３Ｃ】本発明の計数波形の説明図である。
【図４】本発明の電気回路を示すブロック図である。
【図５】本発明の判別フローを示す説明図である。
【符号の説明】
【００１９】
１      ガス計量メータのケーシング
２      ガス計量メータの表示部
３      磁気センサー
５      信号分析処理ユニット
９      戻し止め係止片
２１    ガス計量メータの最小単位の計量回転盤
３１    Ｎ極磁気センサー手段
３２    Ｓ極磁気センサー手段
４１    Ｎ極磁石
４２    Ｓ極磁石
５０    計数比較器
５１    計数器
５２    特殊検出システムの検出信号の入力のこと
６１    爆発防止弁の信号の出力のこと
６２    電磁気弁の信号の出力のこと
６３    電話回線を介して報告をフィードバックすること
６４    ＰＳＴＮ回線出力のこと
６５    表示器出力のこと
【図１】
2005267040.tif 000003
【図２】
2005267040.tif 000004
【図３Ａ】
2005267040.tif 000005
【図３Ｂ】
2005267040.tif 000006
【図３Ｃ】
2005267040.tif 000007
【図４】
2005267040.tif 000008
【図５】
2005267040.tif 000009